(57)【要約】 【課題】  回転体を有し、簡単な構成で、遊技球を振分可能な球振分装置を提供する。【解決手段】  入賞装置７には、特別入賞口１２と排出口２５に遊技球を振分ける球振分装置として機能する回転体１３を備える。回転体１３は、遊技球が通過可能な貫通孔２２であって、一端部が上方Ｚ１に臨んで開口する特別入賞口１２が形成される。また回転体１３の上面２３は、特別入賞口１２と回転体１３の外周部２７との間に、隆起部分３６を有し、該隆起部分３６を境に、回転体１３の外周部２７または特別入賞口１２へ遊技球を転動可能とすべく傾斜する斜面が形成されている。【選択図】      図１５
2008284233.tif 000002
【特許請求の範囲】
【請求項１】
パチンコ機の遊技領域に進入した遊技球を、遊技者にとって有利な球通路と不利な球通路のいずれかに振分ける球振分装置であって、
遊技領域に、上下方向に向く予め定める軸線まわりに回転可能に設けられており、かつ、遊技球を転動させる転動面が設けられた回転体と、
前記回転体を前記軸線まわりに回転駆動させる駆動手段と、を含み、
前記回転体には、
回転体の外周から進入した遊技球が通過可能な貫通孔が、前記回転体の転動面の中央付近から、遊技者にとって有利な球通路に向けて形成されており、
回転体の転動面は、貫通孔と回転体の外周縁との間に、隆起部分を有し、該隆起部分を境に、回転体の外周縁または貫通孔へ遊技球を転動可能とすべく傾斜する斜面が形成されていることを特徴とする球振分装置。
【請求項２】
回転体の外周から遊技球が回転体に進入する球経路に、所定の周期で変位して、遊技球の進路を変更する可動部をさらに含むことを特徴とする請求項１に記載の球振分装置。
【請求項３】
前記貫通孔は、回転体の中心から偏心した位置に形成されていることを特徴とする請求項１または請求項２に記載の球振分装置。
【発明の詳細な説明】
【技術分野】
【０００１】
本発明は、パチンコ機に設けられ、遊技球の行先を振分ける球振分装置に関する。
【背景技術】
【０００２】
従来の技術のパチンコ機では、球振分装置として回転可能な回転体を用い、回転体の外周に複数の孔を形成し、複数の孔のうち、特定の孔を遊技者に有利な入賞孔とし、他の孔を遊技者に有利でない外れ孔に設定している。このような回転体によって、回転体付近に落下してきた遊技球を回転体の入賞孔または外れ孔に導くことができる（たとえば特許文献１参照）。
【０００３】
【特許文献１】特開平６−１２６０２７号公報
【発明の開示】
【発明が解決しようとする課題】
【０００４】
前述の従来の技術では、入賞孔と外れ孔を識別するために、回転体、または回転体を搭載する入賞装置本体の構造を工夫する必要がある。たとえば回転体側の構成では、外周に形成する孔の形状および深さなどを、入賞孔と外れ孔で異なるように構成する必要がある。
【０００５】
また入賞装置本体側の構成では、入賞孔に連結される球通路と外れ孔に連結される球通路とを別々に形成する必要がある。回転体のように回転する部材に異なる球通路を設けるためには、構成が複雑になるという問題がある。
【０００６】
したがって本発明の目的は、回転体を有し、簡単な構成で、遊技球を振分可能な球振分装置を提供することである。
【課題を解決するための手段】
【０００７】
本発明では、球振分装置を構成する回転体には、回転体の外周から進入した遊技球が通過可能な貫通孔が、回転体の遊技球を転動させる転動面の中央付近から、遊技者にとって有利な球通路に向けて形成される。これによって回転体の外周から案内される遊技球が貫通孔に進入した場合、進入した遊技球を有利な球通路に導くことができる。また回転体の転動面は、貫通孔と回転体の外周縁との間に、隆起部分を有し、該隆起部分を境に、回転体の外周縁または貫通孔へ遊技球を転動可能とすべく傾斜する斜面が形成されている。これによって回転体の外周から進入する遊技球は、外周縁から隆起部分までは上り坂になるので、減速されて隆起部分に至る前に、再び外周縁に向かって転動する可能性があり、また隆起部分から内方では、いわゆる下り坂になるので、加速して貫通孔に案内される可能性が高くなる。したがって遊技球は、回転体の転動面の部分によって、転動する方向が異なる。これによって回転体に案内される遊技球を、貫通孔に進入した場合としなかった場合とで、遊技球にとって有利な球通路と不利な球通路とに振分けることができる。したがって前述した従来の技術のように、球を振分けるために、回転体に２つの異なる貫通孔を形成する必要がない。したがって本発明のように回転体の１つの貫通孔を形成するという簡単な構成で、球を振分けることができる球振分装置を実現することができる。
【発明を実施するための最良の形態】
【０００８】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【０００９】
図１は、本発明の第１の実施の形態のパチンコ機の遊技盤１を示す正面図である。図示を省略しているけれども、遊技盤１はパチンコ機の遊技盤取付枠に取付けられ、遊技盤取付枠の前面側に前扉が取付けられる。前扉には透明な窓板としてガラス板が設けられ、ガラス板は、前扉を閉扉したときに、遊技盤１と略平行になる。ガラス板は遊技球が転動可能な遊技領域２の前方Ｙ１側を覆うように設けられ、遊技者はガラス板を通して前方Ｙ１側から遊技領域２での遊技球の動きを見ることができる。以下、ガラス板の厚み方向を前後方向Ｙと称する。またガラス板の厚み方向に対して垂直な方向のうち、厚み方向に垂直な投影面に投影した場合に、遊技盤１の表面の長辺に沿って延びる方向を上下方向Ｚと称する。また前後方向Ｙおよび上下方向Ｚに対してともに垂直な方向を左右方向Ｘと称する。パチンコ機が店舗などに設置され、遊技可能な状態では、上下方向Ｚは鉛直方向と略平行であり、左右方向Ｘおよび前後方向Ｙは水平方向と略平行にとなるように設定される。
【００１０】
図１に示すように、遊技盤１の前面側には、発射された遊技球を案内するためのガイドレール３が設けられ、ガイドレール３に囲まれた遊技領域２の上部に遊技球が案内される。遊技領域２には、遊技球を転動させるための釘４が打設されるとともに、通過チャッカー５、およびアウト口６の各種構造物が配設される。
【００１１】
さらに、図１に示す遊技盤１を前後方向Ｙ一方の前方Ｙ１から見て、遊技領域２の中央から上下方向Ｚ一方の上方Ｚ１側に入賞装置７が設けられる。入賞装置７は、発射された遊技球が通常通過する通常領域８とは区画された入賞領域９が形成され、予め定める入賞条件で、入賞装置７の上部にある遊技球流入部１０に備えられた可動部材１１が開放することによって、遊技球が入賞装置７内の入賞領域９に流入可能になる。図１に示す入賞装置７の場合の入賞条件は、通過チャッカー５を遊技球が通過することである。遊技球が通過チャッカー５を通過すると、入賞装置７は可動部材１１を開放し、遊技球が入賞領域９に入り難い状態から遊技球が入り易い状態に切換わり、遊技球が入り易い状態が数秒間だけ維持される。
【００１２】
図２は、入賞装置７を前方Ｙ１の上方Ｚ１側から見て示す斜視図である。図３は、入賞装置７を前方Ｙ１の下方Ｚ２側から見て示す斜視図である。図４は、入賞装置７を後方Ｙ２の上方Ｚ１側から見て示す斜視図である。図５は、入賞装置７を後方Ｙ２の下方Ｚ２側から見て示す斜視図である。図６は、入賞装置７を示す正面図である。図７は、入賞装置７を示す側面図である。図１も参照しつつ、入賞装置７について説明する。入賞装置７の内部の構成は、パチンコ機の機種によって様々である。本実施の形態のパチンコ機は、アナログ式の抽選機能を有している。このようなパチンコ機では、入賞装置７には入賞領域９に「Ｖゾーン」と呼ばれる特別入賞口１２が設けられる。パチンコ機は、特別入賞口１２に遊技球が入賞することで大当りを生起する。大当りとは、パチンコ機の動作態様が遊技者にとって有利な状態になることをいう。大当りになったときのパチンコ機の動作態様は機種によって様々であるが、本実施の形態のパチンコ機では、遊技球流入部１０に備えられた可動部材１１の開放状態が維持され、遊技球が入賞装置７内に流入可能な状態が継続され、さらに特別入賞口１２に再び遊技球が進入することによって、多くの賞球を獲得することが可能になる。
【００１３】
入賞装置７は、特別入賞口１２が形成される回転体１３、遊技球を入賞領域９から排出する球排出通路１４、回転体１３まで遊技球を案内する第１通路１５と第２通路１６、第１通路１５と第２通路１６とに遊技球を振分けるシーソー型振分装置１７、遊技球を吸着可能な吸着装置２１、シーソー型振分装置１７に遊技球を落下させる遊技球流入部１０、および各部を駆動する駆動部３１を含んで構成される。シーソー型振分装置１７は、遊技球流入部１０の下方Ｚ２に設けられる。遊技球流入部１０から流入した遊技球は、最初に、入賞領域９の上方Ｚ１に設けられたシーソー型振分装置１７によって、左右の第１通路１５または第２通路１６に振分けられる。シーソー型振分装置１７は、平板状であって、前後方向Ｙに延びる揺動軸線Ｌ１まわりに揺動することによって、左右方向Ｘに遊技球を振分ける。中央に設けられた液晶表示装置（図示せず）よりも左方Ｘ２に振分けられた遊技球は、第１通路１５を通り抜けて回転体１３の左方Ｘ２から右方Ｘ１に向かって転動して回転体１３に至る。中央に設けられた液晶表示装置よりも右方Ｘ１に振分けられた遊技球は、第２通路１６を通り抜けて回転体１３の上方Ｚ１から落下されて回転体１３に至る。このように第１通路１５と第２通路１６とでは、回転体１３に至る遊技球の経路が異なるので、回転体１３の特別入賞口１２に入る確率が各通路１５，１６によって異なる。
【００１４】
第１通路１５および第２通路１６には、遊技球の回転体１３に向かう速度を変化させる減速手段１８、または加速手段が設けられる。本実施の形態では、減速手段１８が設けられ、減速手段１８として、各通路内に障害物となる段差が設けられる。第１通路１５または第２通路１６に振分けられた遊技球は、段差に衝突することによって減速される。したがって減速された遊技球が、回転体１３に案内される。また他の減速手段１８として、通路内にコイル状のばね部材が設け、遊技球がばね部材の内側に衝突しながら、落下させて減速させてもよい。
【００１５】
図８は、入賞装置７を前方Ｙ１の上方Ｚ１側から見て示す斜視図であって、回転体１３付近を拡大して示す斜視図である。図９は、入賞装置７の回転体１３付近を示す平面図である。第２通路１６に関連する構成に関してさらに説明する。図２〜図７も参照して、回転体１３は、入賞領域９の右方Ｘ１側に設けられる。第２通路１６の下方Ｚ２の端部に振分クルーン１９が設けられる。振分クルーン１９は、上方Ｚ１に臨んで開口し、下方Ｚ２に２つの落下口２０ａ，２０ｂが左右方向Ｘに離間して形成される。第２通路１６によって振分クルーン１９まで案内される遊技球は、２つの落下口２０ａ，２０ｂのいずれか一方から下方Ｚ２に落下される。これによって回転体１３の上方Ｚ１から、回転体１３に遊技球が案内される。
【００１６】
吸着装置２１は、永久磁石が設けられ、振分クルーン１９に案内された遊技球を上方Ｚ１から磁力によって吸着する。また吸着装置２１は、左右方向Ｘに往復運動可能に構成され、往復運動の変位距離は、振分クルーン１９の上方Ｚ１の開口する部分の左右方向Ｘの寸法より大きくなるように設定される。これによって振分クルーン１９に案内された遊技球を吸着した状態で、左右方向Ｘに変位駆動されると、振分クルーン１９の左右方向Ｘの端部に設けられる壁部に衝突する。したがって吸着装置２１に吸着された遊技球は、下方Ｚ２に落下して、左右いずれかの落下口２０ａ，２０ｂから、回転体１３に落下される。このように２つの異なる落下口２０ａ，２０ｂから落下させるので、図８に示すような回転体１３の位置では、左方Ｘ２の落下口２０ｂから落下される遊技球は、回転体１３に形成される特別入賞口１２に入りやすく、また右方Ｘ１の落下口２０ａから落下される遊技球は、特別入賞口１２に入りにくい。また回転体１３が図８に示す状態から１８０度回転すると、左方Ｘ２の落下口２０ｂから落下される遊技球は、特別入賞口１２に入りにくく、また右方Ｘ１の落下口２０ａから落下される遊技球は、特別入賞口１２に入りやすくなる。また回転体１３が図８に示す状態から９０度回転すると、左方Ｘ２の落下口２０ｂから落下される遊技球と、右方Ｘ１の落下口２０ａから落下される遊技球とは、特別入賞口１２に入る確率が略等しくなる。このように回転体１３の角度位置によって、どちらの落下口２０ａ，２０ｂが遊技球によって有利になるかが変化する。
【００１７】
次に、回転体１３について説明する。回転体１３は、入賞領域９の下方Ｚ２側に、上下方向Ｚに向く予め定める軸線Ｌ２まわりに回転可能に設けられており、かつ、遊技球を転動させる転動面２３が設けられる。本実施の形態では、回転体１３は、上下方向Ｚに略平行な軸線Ｌ２まわりに回転可能に設けられる。また回転体１３には、回転体１３の外周および上方Ｚ１から進入した遊技球が通過可能な貫通孔２２が、転動面２３である回転体１３の上方Ｚ１に臨む面２３から、遊技者にとって有利な球通路１４に向けて形成されている。回転体１３の外周とは、本実施の形態では、回転体１３が略円板状に形成されるので、回転体１３の半径方向外方と同義である。換言すると、回転体１３には、遊技球が通過可能な貫通孔２２が形成され、その上方Ｚ１に臨んで開口する。貫通孔２２の上方Ｚ１の一端部が特別入賞口１２（Ｖゾーン）となる。貫通孔２２の他端部は、予め定める球通路であり、遊技者にとって有利な球排出通路１４に向けて形成される。回転体１３に至った遊技球は、回転体１３に衝突することによって不規則に転動しながら特別入賞口１２の上方Ｚ１に進み、タイミングよく特別入賞口１２に入れば、入賞となり大当りになる。回転体１３は、略円板状に形成され、回転体１３の上方Ｚ１に臨む面２３（以下、「回転体１３の上面２３」ということがある）の表面に、半径方向外方から半径方向内方に向かう遊技球を特別入賞口１２に案内可能な複数の案内壁２４が設けられる。
【００１８】
また回転体１３の前方Ｙ１には、図８および図９を参照して、他の球通路であり、遊技者にとって不利な球排出通路１４が２つ設けられ、その一端部が排出口２５として上方Ｚ１に臨んで開口している。各球排出通路１４は、回転体１３の前方Ｙ１の領域によって、その排出口２５の開口部分が左右に分断されて構成される。回転体１３の前方Ｙ１の領域には、左右方向Ｘに遊技球を振分ける山形状の斜面２６が形成される。回転体１３を可及的に大きくするため、回転体１３の前方Ｙ１の領域は、回転体１３の外周部２７とガラス板との距離が、遊技球より小さくなる。このような領域に、山形状の斜面２６を形成することによって、回転体１３の前方Ｙ１に転動してきた遊技球をいずれか一方の排出口２５に案内することができる。
【００１９】
また回転体１３の周辺には、入賞領域９を形成する底壁２８が設けられる。底壁２８は、図７を参照して、水平方向に対して傾斜するように構成される。本実施の形態では、底壁２８は、前方Ｙ１に進むにつれて下方Ｚ２に進むように傾斜する。また回転体１３の上面２３は、回転体１３の中央付近から外周へ遊技球を転動可能とすべく、水平方向に対して傾斜するように形成される。本実施の形態では、回転体１３の上面２３は、前方Ｙ１に進むにつれて下方Ｚ２に進むように傾斜する部分を有する。また回転体１３の下面２９は、前方Ｙ１に進むにつれて下方Ｚ２に進むように傾斜する。これによって回転体１３に至った遊技球のうち、特別入賞口１２に入らずに、回転体１３および底壁２８の傾斜によって前方Ｙ１へこぼれ落ちた遊技球は、前述のように排出口２５に入り、球排出通路１４によって入賞装置７の後方Ｙ２側から遊技領域２の外部に排出される。また回転体１３の上面２３の水平方向である前後方向Ｙに対する傾斜角度α２は、底壁の水平方向に対する傾斜角度α１と異なる。本実施の形態では、回転１３の上面２３は、上方Ｚ１に凸となるような山形状であるので、底壁２８の傾斜角度α１は、回転体１３の下面２９の傾斜角度α２より大きくなるように設定される。底壁２８の傾斜角度α１は、たとえば８度に設定され、回転体１３の下面２９の傾斜角度α２は、たとえば５度に設定される。これによって回転体１３の後方Ｙ２では、底壁２８と回転体１３の上面２３との高さ位置を略同位置に設定することができる。したがって回転体１３の後方Ｙ２にて、回転体１３が底壁２８から上方Ｚ１に凸となることによって、遊技球が引っかかることを確実に防ぐことができる。
【００２０】
各球排出通路１４には、遊技球が通過の有無を検出するセンサ３０が設けられる。したがって特別入賞口１２を通過した遊技球の数、排出口２５を通過した遊技球の数、およびアウト口６を通過した遊技球の数をそれぞれカウント可能に構成される。これによって遊技者の操作によって遊技領域２に与えられた遊技球と、遊技領域２から排出された遊技球との数を比較することができる。したがって遊技球の過不足によって、遊技の不正および遊技球詰まりを検出することができる。
【００２１】
駆動部３１は、駆動手段であって、吸着装置２１、遊技球流入部１０に備えられた可動部材１１、および回転体１３をそれぞれ駆動する。吸着装置２１は、往復運動するように駆動され、可動部材１１は、開閉運動するように駆動される。また回転体１３は、回転軸線Ｌ２まわりに回転駆動される。回転体１３の回転周期は、予め定める周期となるように設定される。駆動部３１は、モータならびに電磁ソレノイドなどのアクチュエータ、およびラック、ピニオンならびに歯車などの伝達手段によって適宜構成される。このような駆動部３１は、制御部（図示せず）によって予め定める動作をするように制御される。
【００２２】
次に、回転体１３の構成に関してさらに詳細に説明する。図１０は、回転体１３を上方Ｚ１から見て示す斜視図である。図１１は、回転体１３を下方Ｚ２から見て示す斜視図である。図１２は、回転体１３を示す平面図である。図１３は、回転体１３を示す下面図である。図１４は、回転体１３を示す正面図である。図１５は、図１２の切断面線Ｓ１−Ｓ１から見て示す断面図である。図１６は、図１２の切断面線Ｓ２−Ｓ２から見て示す断面図である。図１７は、入賞装置７を前方Ｙ１の上方Ｚ１側から見て示す斜視図であって、回転体１３を除いた状態を拡大して示す斜視図である。図１８は、入賞装置７を後方Ｙ２の下方Ｚ２側から見て示す斜視図であって、回転体１３を除いた状態を拡大して示す斜視図である。回転体１３は、図１１に示すように、下方Ｚ２から見て、略有底筒状に形成される。このような回転体１３は、図１７に示す円状の支持台３２に嵌合して設けられる。
【００２３】
回転体１３には、図１２に示すように、特別入賞口１２が回転体１３の上面２３の中央付近であって、回転体１３の中心から偏心した位置に形成される。換言すると、回転体１３の外周部２７から特別入賞口１２までの最短距離が異なる。したがって遊技球の回転体１３への進入方向によって、特別入賞口１２への距離が変化するので、特別入賞口１２に入る確率が変化する。
【００２４】
回転体１３の上面２３には、回転体１３の外周部２７から特別入賞口１２に案内する案内壁２４が少なくとも１つ設けられ、本実施の形態では、８つ設けられる。案内壁２４は、回転体１３の上面２３から上方Ｚ１に凸であって、回転体１３の半径方向外方（以下、「外方」ということがある）の端部から半径方向内方（以下、「内方」ということがある）に延びるように設けられる。特別入賞口１２は、回転体１３の中心から偏心した位置に形成されるので、案内壁２４もそれぞれその一端部から他端部までの長さ寸法が異なる。案内壁２４の高さ寸法は、遊技球に基づいて設定され、本実施の形態では遊技球の直径よりも小さくなるように設定される。これによって案内壁２４に衝突するときの遊技球の速度によって、遊技球が案内壁２４を乗り越える場合もあり、また案内壁２４によって案内される場合もあり、遊技球の動きに変化をもたせることができる。
【００２５】
案内壁２４は、上方Ｚ１から見て、回転軸線Ｌ２に直交する放射方向に対して傾斜する部分を有する。本実施の形態では、案内壁２４は、上方Ｚ１から見て、回転体１３の外周部２７から貫通孔２２に向けて湾曲して延びるように設けられる。具体的には、案内壁２４は、上方Ｚ１から見て、外方から内方に向かうにつれて、反時計回りになるように湾曲するように構成される。したがって回転体１３の外方から進入してくる遊技球は、案内壁２４に衝突しながら、内方に案内される。回転体１３の回転方向が、上方Ｚ１から見て時計回りの場合は、遊技球は中央付近に案内されやすいが、回転方向が反時計回りの場合は、遊技球は中央付近には案内されにくい。また案内壁２４の外方側の端部３３は、図１４に示すように、外方に進むにつれて、下方Ｚ２に傾斜するように構成される。これによって回転体１３の外方から回転体１３に進入する遊技球は、外周部分で跳ね返されることなく、内方側まで進む可能性を高くすることができる。
【００２６】
回転体１３の内方に位置する案内壁２４の端部３４には、上方Ｚ１から見て、放射方向に対して直交する隔壁３５が連結されている。隔壁３５は、隣接する２つの案内壁２４を一対として、これら一対の案内壁２４を連結するように設けられる。したがって本実施の形態では、４つの隔壁３５が周方向に間隔をあけて設けられる。隔壁３５は、放射方向に対して直交するので、外方から内方に向かう遊技球の障害となり、また内方から外方に向かう遊技球の障害となる。したがって遊技球は、隣接する案内壁２４の間であって、隔壁３５が設けられない部分の４つの経路Ｔ１が、残余の経路Ｔ２に比べて遊技球が容易に外方と内方とを行き来可能である。
【００２７】
このような４つの経路Ｔ１は、回転体１３の外周部２７から特別入賞口１２までの距離が互いに異なる。また一対の案内壁２４間の距離は、特別入賞口１２までの距離が大きい一対の案内壁２４が最も大きく、順次、特別入賞口１２までの距離が小さくなるに従って、一対の案内壁２４間の距離も小さくなる。また外周部２７における４対の案内壁２４間の距離の合計は、４つの経路Ｔ１を除く残余の領域の距離よりも小さくなるように設定される。これによって回転体１３の外方から回転体１３に進入してくる遊技球は、前記残余の領域に至る可能性が大きい。このような４つの経路Ｔ１の幅寸法は、入賞確率に基づいて適宜設定される。
【００２８】
また回転体１３の上面２３は、図１５および図１６に示すように、特別入賞口１２と回転体１３の外周縁２７との間に、隆起部分３６を有する。隆起部分３６を境に、回転体１３の外周縁２７または特別入賞口１２への遊技球を転動すべく傾斜する斜面が形成されている。外周縁２７は、本実施の形態では、回転体１３の最も半径方向外方の縁であり、外周部２７と同義である。回転体１３の上面２３は、特別入賞口１２と回転体１３の外周部２７との間の予め定める隆起部分３６までは、外周部２７から内方に進むにつれて上方Ｚ１に進むように傾斜し、隆起部分３６から特別入賞口１２までは、内方に進むにつれて、下方Ｚ２に進むように傾斜するように形成される。換言すると、回転体１３の上面２３には、特別入賞口１２と回転体１３の外周部２７との間の特定の隆起部分３６を、全周にわたって最も上方Ｚ１に隆起させ、隆起部分３６から特別入賞口１２に進むにつれて、下方Ｚ２に進むような斜面が形成される。隆起部分３６は、各案内壁２４の内方側の端部３４よりやや外方に設定される。また４つの経路Ｔ１における隆起部分３６の位置は、特別入賞口１２までの距離が大きい一対の案内壁２４が最も特別入賞口１２から遠く、順次、特別入賞口１２までの距離が小さくなるに従って、近くなる。したがって４つの隔壁３５から内方の領域は、隆起部分３６より内方の領域となり、特別入賞口１２に向かって下方Ｚ２に傾斜する、いわゆるすりばち状の傾斜面によって構成される。４つの隔壁３５から内方の領域は、隔壁３５によって内方から外方への遊技球が転動しにくく、また特別入賞口１２に向かって傾斜するので、遊技球が隆起部分３６の内方の領域にある場合は、特別入賞口１２に遊技球が入る可能が高くなる。
【００２９】
次に、図１７および図１８を参照して、回転体１３を支持する構成に関して説明する。図１７に示す円状の支持台３２には、上下方向Ｚに貫通する支持台孔３７が形成される。支持台孔３７は、遊技球が挿通可能に構成される。回転体１３が支持台３２に嵌合した状態で、回転体１３が予め定める角度位置に配置されると、回転体１３の貫通孔２２と支持台３２の支持台孔３７とが同軸となるように、支持台孔３７の位置は設定される。したがって回転体１３が予め定める角度位置を除く残余の位置に有る場合、回転体１３の特別入賞口１２に入った遊技球は、その下方Ｚ２が支持台３２の上面３８によって支持される。支持台３２の上面３８から回転体１３の上面２３までの高さ寸法は、遊技球よりもやや小さく設定される。したがって特別入賞口１２に遊技球がはまり込んだまま状態では、遊技球が遊技者は容易に視認することができる。このような遊技球がはまり込んだ状態で、回転体１３が回転され、回転体１３が予め定める角度位置に配置されると、貫通孔２２が支持台孔３７と上下方向Ｚに同位置となる。これによって回転体１３の貫通孔２２と支持台３２の上面３８によって保持されていた遊技球が、支持台孔３７を通過する。支持台孔３７を通過したことを検出すると、大当りとなる。これによって遊技者は、特別入賞口１２に入る瞬間を視認することができる。また支持台孔３７を通過した遊技球は、予め定める球通路である球排出通路１４によって入賞装置７の後方Ｙ２側から遊技領域２の外部に排出される。
【００３０】
回転体１３の下方Ｚ２には、外方に向かって凸となるリブ３９が設けられる。このリブ３９には、ギヤ（図示せず）が形成される。回転体１３のギヤは、底壁２８の下方Ｚ２に設けられる歯車４７を介して駆動部３１に連結される。これによって駆動部、たとえばモータが回転駆動することによって、回転体１３は支持台３２の外周に沿って回転する。
【００３１】
また回転体１３には、下方Ｚ２に凸となる被検出部４０が設けられる。この被検出部４０の位置を、フォトセンサなどの検出手段４１によって検出することによって、回転体１３の角度位置を検出することができる。これによって回転体１３の角度位置を高精度に制御することができる。
【００３２】
以上説明したように、本実施の形態のパチンコ機では、入賞装置７には、特別入賞口１２と排出口２５に遊技球を振分ける球振分装置として機能する回転体１３を備える。回転体１３は、遊技球が通過可能な貫通孔２２であって、一端部が上方Ｚ１に臨んで開口する特別入賞口１２が形成される。これによって回転体１３に案内される遊技球が貫通孔２２に進入した場合、進入した遊技球を球排出通路１４に導くことができる。また回転体１３の上面２３が、水平方向に対して傾斜するように形成される。これによって回転体１３に案内される遊技球が貫通孔２２に進入しなかった場合、回転体１３の上面２３によって、遊技球を下方Ｚ２に転動させることができる。したがって回転体１３に案内される遊技球を、貫通孔２２に進入した場合としなかった場合とで、異なる球排出通路１４に振分けることができる。また回転体１３の周辺には、入賞領域９を形成し、水平方向に対して傾斜する底壁２８が設けられる。したがって回転体１３の上面２３によって下方Ｚ２に転動させられた遊技球を、底壁２８によってさらに下方Ｚ２に転動させることができ、回転体１３の前方Ｙ１に設けられる排出口２５に遊技球を案内することができる。したがって前述した従来の技術のように、球を振分けるために、回転体１３に２つの異なる孔を形成する必要がない。これによって本発明のように回転体１３の１つの貫通孔２２を形成するという簡単な構成で、遊技球を振分けることができる球振分装置を実現することができる。
【００３３】
また本実施の形態では、回転体１３の上面２３は、前述のような隆起部分３６が形成される。これによって回転体１３の外方から内方に進入する遊技球は、外周部２７から隆起部分３６までは上り坂になるので、減速されて隆起部分３６に至る前に、再び外方に向かって転動する可能性があり、また隆起部分３６から内方では、いわゆる下り坂になるので、加速して特別入賞口１２に案内される可能性が高くなる。したがって遊技球は、回転体１３の上面２３の部分によって、転動する方向が異なる。これによって遊技者は、遊技球の挙動が予測しがたくなる。また隆起部分３６を設ける位置によって、特別入賞口１２に入る確率、いわゆる入賞確率を変更することができる。
【００３４】
また本実施の形態では、回転体１３の上面２３には、上方Ｚ１に開口し、回転体１３の外周部２７から特別入賞口１２に案内する案内壁２４が少なくとも１つ設けられる。これによって回転体１３の外方から内方に進入する遊技球は、案内壁２４によって特別入賞口１２に案内される可能性を高くすることができる。また案内壁２４は、上方Ｚ１から見て、放射方向に対して傾斜する部分を有する。これによって回転体１３の回転方向によって、回転体１３の外方から内方に進入する遊技球の衝突形態が異なるので、特別入賞口１２に案内される可能性を回転方向に基づいて変化させることができる。
【００３５】
また本実施の形態では、案内壁２４の内方側の端部３４には、上方Ｚ１から見て、放射方向に対して直交する隔壁３５が連結されている。これによって回転体１３の外方から内方に進入する遊技球が隔壁３５に衝突する可能性があるので、貫通孔２２に案内される可能性を隔壁３５によって小さくすることができる。また逆に、上方Ｚ１から隔壁３５の内方側に落下して遊技球が進入した場合、隔壁３５によって外方へ転動することが防止されるので、特別入賞口１２に入る可能性を隔壁３５によって大きくすることができる。これによって特別入賞口１２に入る可能性を、遊技球の進入方向に基づいて変化させることができる。したがって回転体１３の回転方向、回転数を制御して入賞確率を可変させることができる。
【００３６】
また本実施の形態では、第１通路１５には、遊技球の回転体１３に向かう速度を変化させる減速手段１８が設けられる。これによって遊技球の回転体１３の向かう進入速度を、一定の範囲となるように適宜設定することができる。したがって第１通路１５からの遊技球の入賞確率の設定が容易となる。
【００３７】
また本実施の形態では、回転体１３によって振分けられるので、回転体１３を駆動するモータは、可動部材１１などを駆動するソレノイドに比べて耐久性が高い。したがってソレノイドなどによって振分ける構成に比べて、動作の信頼性を確保することができる。
【００３８】
次に、本発明の第２の実施の形態のパチンコ機に関して説明する。図１９は、本実施の形態の回転体１３Ａを上方Ｚ１から見て示す斜視図である。本実施の形態のパチンコ機は、前述の第１の実施の形態のパチンコ機とは、回転体１３Ａの構成が一部異なる。具体的には、図１９に示すように、回転体１３Ａの特別入賞口１２の形状が異なる。回転体１３Ａの上面２３には、特別入賞口１２よりも一回り大きい円形の凹部４１が形成され、凹部４１の底部分４２に特別入賞口１２を構成する貫通孔２２が形成される。凹部４１は、隆起部分３６の内方に設けられるので、隆起部分３６の内方に案内された遊技球は、凹部４１に向かって転動する。これによって凹部４１に進入した遊技球は、凹部４１の上下方向Ｚに延びる壁部分４３によって、再び、凹部４１から離脱する可能性が低くなり、逆に、特別入賞口１２に入る可能性が大きくなる。したがって前述の第１の実施の形態の回転体１３よりも、入賞確率を高くすることができる。このように凹部４１の形状を適宜設定することによって、入賞確率を設定することができる。
【００３９】
次に、本発明の第３の実施の形態のパチンコ機に関して説明する。図２０は、本実施の形態の回転体１３Ｂを上方Ｚ１から見て示す斜視図である。本実施の形態のパチンコ機は、前述の第１の実施の形態のパチンコ機とは、回転体１３Ｂの構成が一部異なる。具体的には、図２０に示すように、回転体１３Ｂの案内壁２４の形状が異なる。案内壁２４は、回転体１３の外周部２７ではなく、外周部２７から内方へ予め定める間隔をあけた位置から、内方に延びるように設けられる。したがって案内壁２４によって案内される距離を、第１の実施の形態の案内壁２４に比べて短くすることができる。したがって前述の第１の実施の形態の回転体１３よりも、入賞確率を低くすることができる。このように案内壁２４の形状を適宜設定することによって、入賞確率を設定することができる。
【００４０】
次に、本発明の第４の実施の形態のパチンコ機に関して説明する。図２１は、本実施の形態の回転体１３Ｃを上方Ｚ１から見て示す斜視図である。図２２は、回転体１３Ｃを下方Ｚ２から見て示す斜視図である。図２３は、回転体１３Ｃを示す平面図である。図２４は、回転体１３Ｃを示す下面図である。図２５は、回転体１３Ｃを示す正面図である。図２６は、図２３の切断面線Ｓ３−Ｓ３から見て示す断面図である。本実施の形態のパチンコ機は、前述の第１の実施の形態のパチンコ機とは、回転体１３Ｃの構成が一部異なる。具体的には、図２２に示すように、回転体１３Ｃを回転させるための下方Ｚ２側の形状が異なり、第１の実施の形態の支持台３２を用いずに回転可能に構成される。
【００４１】
本実施の形態の回転体１３Ｃの上面２３を形成する面部の反対側の下面４４には、中空状の回転軸体４５が、上下方向Ｚに沿って設けられる。貫通孔２２に入った遊技球は、回転軸体４５の内部を通過可能に構成される。回転軸体４５の下方Ｚ２には、外方に向かって凸となるリブ４６が設けられる。このリブ４６には、ギヤ（図示せず）が形成される。回転軸体４５のギヤは、前述したように底壁２８の下方Ｚ２に設けられる歯車４７を介して駆動部３１に連結される。このように構成であっても、前述の実施の各形態と同様の作用および効果を達成することができる。
【００４２】
前述の実施の各形態は、本発明の例示に過ぎず、本発明の範囲内において構成を変更することができる。回転体１３は、通常領域８に設けてもよい。回転体１３の下面２９は、水平方向と略平行に設け、回転体１の上面２３を、遊技球が転動するように水平方向に対して傾斜するように設けてもよい。回転体１３に上面２３に凹となる溝部を設けて、溝部を案内壁２４として機能するように構成してもよい。回転体１３の部分によって、摩擦係数が変わるように構成してもよい。これによって摩擦係数によって、遊技球が転動しやすい領域と、転動しにくに領域とが設けられ、このような領域によって入賞確率を適宜設定することができる。また回転体１３の外方から遊技球が回転体１３に進入する球経路に、所定の周期で変位して、遊技球の進路を変更する可動部を設けてもよい。可動部は、たとえば底壁２８に設けられ、上下方向Ｚに沿って往復運動する障害物によって実現される。これによって第１通路１５によって案内される遊技球が、回転体１３に至る確率を変更することができる。
【００４３】
回転体１３は、回転し、かつ上下方向Ｚにスライド変位可能に構成してもよい。これによって回転体１３が上方Ｚ１寄りに位置する場合、回転体１３の外周部２７が障害となって、回転体１３の外方から回転体１３に遊技球が進入しにくくなるが、第２通路１６からの落下距離が短くなるので、上方Ｚ１からの遊技球には入賞確率が高くなる。したがって入賞確率を変更することができる。
【図面の簡単な説明】
【００４４】
【図１】第１の実施の形態のパチンコ機の遊技盤１を示す正面図。
【図２】入賞装置７を前方Ｙ１の上方Ｚ１側から見て示す斜視図。
【図３】入賞装置７を前方Ｙ１の下方Ｚ２側から見て示す斜視図。
【図４】入賞装置７を後方Ｙ２の上方Ｚ１側から見て示す斜視図。
【図５】入賞装置７を後方Ｙ２の下方Ｚ２側から見て示す斜視図。
【図６】入賞装置７を示す正面図。
【図７】入賞装置７を示す側面図。
【図８】回転体１３付近を拡大して示す斜視図。
【図９】回転体１３付近を示す平面図。
【図１０】回転体１３を上方Ｚ１から見て示す斜視図。
【図１１】回転体１３を下方Ｚ２から見て示す斜視図。
【図１２】回転体１３を示す平面図。
【図１３】回転体１３を示す下面図。
【図１４】回転体１３を示す正面図。
【図１５】図１２の切断面線Ｓ１−Ｓ１から見て示す断面図。
【図１６】図１２の切断面線Ｓ２−Ｓ２から見て示す断面図。
【図１７】回転体１３を除いた状態を拡大して示す斜視図。
【図１８】回転体１３を除いた状態を拡大して示す斜視図。
【図１９】第２の実施の形態の回転体１３Ａを上方Ｚ１から見て示す斜視図。
【図２０】第３の実施の形態の回転体１３Ｂを上方Ｚ１から見て示す斜視図。
【００４５】
【図２１】第４の実施の形態の回転体１３Ｃを上方Ｚ１から見て示す斜視図。
【図２２】回転体１３Ｃを下方Ｚ２から見て示す斜視図。
【図２３】回転体１３Ｃを示す平面図。
【図２４】回転体１３Ｃを示す下面図。
【図２５】回転体１３Ｃを示す正面図。
【図２６】図２３の切断面線Ｓ３−Ｓ３から見て示す断面図。
【符号の説明】
【００４６】
１…遊技盤、２…遊技領域、７…入賞装置、１２…特別入賞口、１３，１３Ａ，１３Ｂ，１３Ｃ…回転体、１４…球排出通路、２２…貫通孔、２４…案内壁、２８…底壁、３１…駆動部、３５…隔壁、３６…隆起部分
【図１】
2008284233.tif 000003
【図２】
2008284233.tif 000004
【図３】
2008284233.tif 000005
【図４】
2008284233.tif 000006
【図５】
2008284233.tif 000007
【図６】
2008284233.tif 000008
【図７】
2008284233.tif 000009
【図８】
2008284233.tif 000010
【図９】
2008284233.tif 000011
【図１０】
2008284233.tif 000012
【図１１】
2008284233.tif 000013
【図１２】
2008284233.tif 000014
【図１３】
2008284233.tif 000015
【図１４】
2008284233.tif 000016
【図１５】
2008284233.tif 000017
【図１６】
2008284233.tif 000018
【図１７】
2008284233.tif 000019
【図１８】
2008284233.tif 000020
【図１９】
2008284233.tif 000021
【図２０】
2008284233.tif 000022
【図２１】
2008284233.tif 000023
【図２２】
2008284233.tif 000024
【図２３】
2008284233.tif 000025
【図２４】
2008284233.tif 000026
【図２５】
2008284233.tif 000027
【図２６】
2008284233.tif 000028